(57)【要約】【課題】撮影後の保存確認表示による、次撮影までのタイムラグを削減することができる撮像装置及び撮像方法を提供すること。【解決手段】カメラ付き携帯電話機１００は、プレビュー画面を作成するプレビュー画面作成処理、シャッターボタンの押下により撮影画像を保存する撮影画像保存処理、ポストビュー画面を作成するポストビュー画面作成処理、プレビュー画面とポストビュー画面を表示部１０５の表示画面に表示する表示制御処理を実行する制御部１０２を備える。制御部１０２は、シャッターボタンが押下されると、プレビュー画面[1]の撮影画像から作成されたポストビュー画面[2]を、次のプレビュー画面[3]と同時に表示画面１１０の子画面１２０にスーパーインポーズ表示する。【選択図】図３
2010288030.tif 000002
【特許請求の範囲】
【請求項１】
撮影手段と、
前記撮影手段により撮影された撮影画像に基づいてプレビュー画面を作成するプレビュー画面作成手段と、
シャッターボタンの押下により前記撮影画像を保存する撮影画像保存手段と、
前記撮影画像保存手段により保存された撮影画像に基づいて保存確認表示画面であるポストビュー画面を作成するポストビュー画面作成手段と、
前記プレビュー画面と前記ポストビュー画面を表示手段の表示画面に表示する制御手段とを備え、
前記制御手段は、
前記表示画面に前記プレビュー画面を表示し、
前記シャッターボタンの押下後、前記プレビュー画面の撮影画像から作成された前記ポストビュー画面を、次のプレビュー画面と同時に前記表示画面に表示する撮像装置。
【請求項２】
前記制御手段は、前記表示画面に前記プレビュー画面を表示し、かつ前記表示画面の子画面に前記ポストビュー画面をスーパーインポーズにより表示する請求項１記載の撮像装置。
【請求項３】
前記制御手段は、前記表示画面に表示される前記プレビュー画面と、前記子画面に表示される前記ポストビュー画面との親子切替えを行う請求項１記載の撮像装置。
【請求項４】
前記制御手段は、前記プレビュー画面の状態に基づいて、前記ポストビュー画面の子画面位置を計算し、該計算された子画面位置に前記ポストビュー画面を表示する請求項１記載の撮像装置。
【請求項５】
撮影された撮影画像から顔を検出する顔検出手段を備え、
前記制御手段は、前記プレビュー画面の顔から離れるように前記子画面を移動する請求項１記載の撮像装置。
【請求項６】
撮影された撮影画像の動体を追尾する動体追尾手段を備え、
前記制御手段は、前記プレビュー画面の動体から離れるように前記子画面を移動する請求項１記載の撮像装置。
【請求項７】
前記表示画面に表示されている前記ポストビュー画面を記録する記録手段を備え、
前記制御手段は、前記シャッターボタンの押下又は所定の保存選択指示に従って、前記表示画面に表示されている前記ポストビュー画面を前記記録手段に記録する請求項１記載の撮像装置。
【請求項８】
前記制御手段は、前記ポストビュー画面を前記記録手段に記録したとき、前記プレビュー画面の撮影画像から作成された次のポストビュー画面を、次のプレビュー画面と同時に前記表示画面に表示する請求項７記載の撮像装置。
【請求項９】
撮影された撮影画像から顔を検出する顔検出手段を備え、
前記制御手段は、前記プレビュー画面内に前記ポストビュー画面を表示している状態で、前記プレビュー画面に顔を検出したとき、前記ポストビュー画面を前記記録手段に記録する請求項１記載の撮像装置。
【請求項１０】
ＡＦ合焦手段を備え、
前記制御手段は、前記プレビュー画面内に前記ポストビュー画面を表示している状態で、前記プレビュー画面がＡＦ合焦したとき、前記ポストビュー画面を前記記録手段に記録する請求項１記載の撮像装置。
【請求項１１】
前記制御手段は、
前記ポストビュー画面を前記記録手段に記録したとき、前記プレビュー画面のみを前記表示画面に表示する請求項１記載の撮像装置。
【請求項１２】
撮影された撮影画像に基づいてプレビュー画面を作成するステップと、
シャッターボタンの押下により前記撮影画像を保存するステップと、
保存された撮影画像に基づいて保存確認表示画面であるポストビュー画面を作成するステップと、
まず、前記プレビュー画面を表示画面に表示し、
シャッターボタンが押下されると、前記プレビュー画面の撮影画像から作成された前記ポストビュー画面を、次のプレビュー画面と同時に前記表示画面の子画面にスーパーインポーズ表示する制御ステップと、
を有する撮像方法。
【発明の詳細な説明】
【技術分野】
【０００１】
本発明は、被写体の光学像を撮像する撮像装置及び撮像方法に関し、詳細には、カメラ付き携帯電話機などの撮像装置及び撮像方法に関する。
【背景技術】
【０００２】
従来、デジタルカメラは、カメラ本体にＬＣＤ（Liquid Crystal Display）表示部を備え、記録媒体から記録された複数枚の撮影画像を読み出し、これらの撮影画像をサムネイル画像に加工した後、マトリックス状に配列してＬＣＤ表示部にインデックス表示する。
【０００３】
特許文献１には、前回撮影した画像に対して、ユーザの手動選択により書き換え／追加保存を選択できる電子スチルカメラが記載されている。特許文献１記載の装置は、撮影した画像の保存／削除をユーザに選択させて、記録領域の有効活用を図ろうとする。
【０００４】
特許文献２には、複数の撮影条件で仮撮影した画像をプレビュー内に子画面表示し、ユーザ選択後に本撮影を行う撮影装置が記載されている。
【先行技術文献】
【特許文献】
【０００５】
【特許文献１】特開平７−１９３７７６号公報
【特許文献２】特開２００６−２６１９１５号公報
【発明の概要】
【発明が解決しようとする課題】
【０００６】
しかしながら、このような従来の撮像装置にあっては、以下のような課題がある。
【０００７】
特許文献１記載の電子スチルカメラは、記録領域の有効活用を行うため、直前の撮影済みの画像に対して、上書き可能手段を提供している。保存／上書きの選択のためには「自動アクセスモード」と「手動アクセスモード」の切り替えをその都度行わなくてはいけない。また、実際に撮影した画像を確認しながら選択する手段については、開示されていない。
【０００８】
特許文献２記載の撮影装置は、撮影のための条件をユーザに選択させる技術であって、撮影後の画像に対しての保存／削除の手段を提供するものではない。また、複数の子画面によりプレビュー画面が埋まってしまうために、選択前に撮影を行うことは非常に難しい。また、本撮影時の撮影ミスに対しての対策が取られていない。
【０００９】
また、カメラ付き携帯電話機のカメラでは、さらに下記の課題がある。
【００１０】
一般に「自動保存」形式の撮影では次撮影のタイムラグはない。しかし、カメラ付き携帯電話機におけるカメラ撮影時には、その撮影環境から期待する撮影結果を得ることができない場合が多い。そのため、利用者が撮影した画像の保存を判断しようとして、撮影画像を画面に表示した後に保存／削除の選択を行う場合が多く、保存／削除の選択中は次の撮影を行うことができない。すなわち、撮影のたびに保存するかどうかの確認画面が出ることで、その確認選択時におけるシャッターチャンスを逃してしまう課題がある。一方、撮影画像を画面に表示した後に保存／削除の選択を行うプレビューを表示しない場合、すべての画像を保存することになり、メモリに負担がかかる。
【００１１】
本発明は、かかる点に鑑みてなされたものであり、撮影後の保存確認表示による、次撮影までのタイムラグを削減することができる撮像装置及び撮像方法を提供することを目的とする。
【課題を解決するための手段】
【００１２】
本発明の撮像装置は、撮影手段と、前記撮影手段により撮影された撮影画像に基づいてプレビュー画面を作成するプレビュー画面作成手段と、シャッターボタンの押下により前記撮影画像を保存する撮影画像保存手段と、前記撮影画像保存手段により保存された撮影画像に基づいて保存確認表示画面であるポストビュー画面を作成するポストビュー画面作成手段と、前記プレビュー画面と前記ポストビュー画面を表示手段の表示画面に表示する制御手段とを備え、前記制御手段は、前記表示画面に前記プレビュー画面を表示し、前記シャッターボタンの押下後、前記プレビュー画面の撮影画像から作成された前記ポストビュー画面を、次のプレビュー画面と同時に前記表示画面に表示する構成を採る。
【００１３】
本発明の撮像方法は、撮影された撮影画像に基づいてプレビュー画面を作成するステップと、シャッターボタンの押下により前記撮影画像を保存するステップと、保存された撮影画像に基づいて保存確認表示画面であるポストビュー画面を作成するステップと、まず、前記プレビュー画面を表示画面に表示し、シャッターボタンが押下されると、前記プレビュー画面の撮影画像から作成された前記ポストビュー画面を、次のプレビュー画面と同時に前記表示画面の子画面にスーパーインポーズ表示する制御ステップと、を有する。
【発明の効果】
【００１４】
本発明によれば、次撮影可能になる時間を短縮することができ、撮影タイミングを逃さない効果がある。また、ポストビュー画面を確認することで、撮影画像の保存／破棄も可能であり、メモリ負担を軽減することができる。
【図面の簡単な説明】
【００１５】
【図１】本発明の実施の形態１に係るカメラ付き携帯電話機の構成を示すブロック図
【図２】上記実施の形態１に係るカメラ付き携帯電話機のカメラの撮影処理を示すフロー図
【図３】上記実施の形態１に係るカメラ付き携帯電話機のプレビュー画面上の子画面にポストビュー画面を表示する表示例を示す図
【図４】本発明の実施の形態２に係るカメラ付き携帯電話機のカメラの撮影処理を示すフロー図
【図５】上記実施の形態２に係るカメラ付き携帯電話機のプレビュー画面上の子画面にポストビュー画面を表示する表示例を示す図
【図６】本発明の実施の形態３に係るカメラ付き携帯電話機のカメラの撮影処理を示すフロー図
【図７】上記実施の形態３に係るカメラ付き携帯電話機のプレビュー画面と子画面を切替える表示例を示す図
【図８】本発明の実施の形態４に係るカメラ付き携帯電話機１００のカメラの撮影処理を示すフロー図
【図９】上記実施の形態４に係るカメラ付き携帯電話機の子画面表示状態でシャッターキーを押すと自動保存する表示例を示す図
【図１０】本発明の実施の形態５に係るカメラ付き携帯電話機のカメラの撮影処理を示すフロー図
【図１１】上記実施の形態５に係るカメラ付き携帯電話機のプレビュー時に顔検出すると自動保存する表示例を示す図
【図１２】本発明の実施の形態６に係るカメラ付き携帯電話機のカメラの撮影処理を示すフロー図
【図１３】上記実施の形態６に係るカメラ付き携帯電話機のプレビュー時にＡＦ合焦により自動保存する表示例を示す図
【発明を実施するための形態】
【００１６】
以下、本発明の実施の形態について図面を参照して詳細に説明する。
【００１７】
（実施の形態１）
図１は、本発明の実施の形態１に係る撮像装置の構成を示すブロック図である。本実施の形態は、撮像装置として、カメラ付き携帯電話機／ＰＨＳ（Personal Handy-Phone System）の撮像装置に適用した例である。また、カメラ付き携帯電話機の撮像装置ほか、ＰＤＡ（Personal Digital Assistants：携帯情報端末）、携帯ゲーム機などの携帯機器のカメラに適用できる。
【００１８】
図１に示すように、カメラ付き携帯電話機１００は、撮像部１０１、制御部１０２、保存部１０３、入力部１０４、表示部１０５、及び記録部１０６を備えて構成される。
【００１９】
撮像部１０１は、複数のレンズ群からなる撮像光学系Ｌ及び撮像センサを備える。撮像センサは、撮像光学系Ｌにより形成される光学的な像を電気的な信号に変換するＣＣＤ（Charge Coupled Device）センサ又はＣＭＯＳ（Complementary Metal Oxide Semiconductor）センサである。また、撮像センサから出力されるアナログ映像信号は、図示しないＡ／Ｄ変換部によりデジタル映像信号に変換されて制御部１０２に入力される。
【００２０】
制御部１０２は、映像信号処理回路、画像圧縮回路及びマイクロコンピュータ等から構成される。映像信号処理回路は、デジタル映像信号に対して、ゲイン調整やノイズ除去等の周知の映像信号処理を施し、ＲＧＢ形式の映像信号に変換する。画像圧縮回路は、保存部１０３に記憶された画像データを、例えばＪＰＥＧ（Joint Photographic Experts Group）方式により圧縮処理する。
【００２１】
また、制御部１０２は、プレビュー画面を作成するプレビュー画面作成処理、シャッターボタンの押下により撮影画像を保存する撮影画像保存処理、ポストビュー画面を作成するポストビュー画面作成処理、プレビュー画面とポストビュー画面を表示部１０５の表示画面に表示する表示制御処理を実行する。表示制御処理の詳細については、図２のフローにより後述する。
【００２２】
保存部１０３は、撮影後の画像データを一時的に保存する。保存部１０３は、例えばＳＲＡＭ（Static RAM）、電源バックアップされたＲＡＭ又はＥＥＰＲＯＭ（electrically erasable programmable ROM）等の不揮発メモリであってもよい。
【００２３】
入力部１０４は、カメラ付き携帯電話機１００を操作するための操作キーボタンである。操作キーボタンには、シャッターボタンとして割り当てられる決定キー、複数の動作モードを切り替えるモード切替キーなどがある。なお、入力部１０４は、キーのみならず、タッチパネルや無線による遠隔操作手段でも可能である。
【００２４】
表示部１０５は、制御部１０２からの指令に基づいて、撮像部１０１からのプレビュー画面をそのままに、あるいは保存部１０３に保存されたポストビュー画面を表示する。また、表示部１０５は、記録部１０６に記録された画像データを可視画像として表示する。
【００２５】
記録部１０６は、画像データと日時など記録すべき所定の情報とを関連付けて記録する、例えば内部メモリ及び／又は着脱可能なリムーバブルメモリである。
【００２６】
以下、上述のように構成されたカメラ付き携帯電話機１００のカメラの撮影動作を説明する。
【００２７】
図２は、カメラ付き携帯電話機１００のカメラの撮影処理を示すフローチャートであり、制御部１０２のマイクロコンピュータにより実行される。本フローは、例えばカメラ付き携帯電話機１００が撮影モードに操作されると開始する。
【００２８】
図３は、プレビュー画面上の子画面にポストビュー画面を表示する表示例を示す図である。
【００２９】
カメラが起動すると、ステップＳ１でプレビュー状態となる。プレビュー状態は、撮像部１０１により画像が取り込まれ、そのスルー画像が表示部１０５（図１）に表示される。図３（ａ）（ｂ）は、表示部１０５の表示画面１１０に表示されるプレビュー画面を示す。この時点のプレビュー画面を、プレビュー画面[1]と呼ぶ。なお、符号[1]−[3]は、説明の便宜上に付したもので、実際に表示画面１１０にこのような符号が表示されるのではない。
【００３０】
ステップＳ２でユーザがシャッターボタン（例えば決定キー）を押下すると、ステップＳ２乃至ステップＳ４の<撮影操作>に移行する。ステップＳ２でシャッターボタンが押下されると、ステップＳ３で制御部１０２は、撮像部１０１から撮像データを取り込む。
【００３１】
ステップＳ４では、制御部１０２は、カメラ付き携帯電話機１００のカメラに自動保存が設定されているか否かを判別する。カメラに自動保存が設定されている場合は、<撮影操作>を抜けて<撮影後表示動作>のステップＳ５に移行する。カメラに自動保存が設定されていない場合は、<撮影操作>を抜けて<撮影後表示動作>のステップＳ６に移行する。
【００３２】
ステップＳ５では、制御部１０２は、シャッターボタン押下時に撮像部１０１から取り込んだ撮像データを、保存部１０３に撮影画像として保存してステップＳ１のプレビューに戻る。
【００３３】
ステップＳ６では、制御部１０２は、シャッターボタン押下時の撮影画像からポストビュー画面を作成する。図３（ｄ）（ｅ）の子画面１２０は、シャッターボタン押下以前はプレビュー画面[1]であり、シャッターボタン押下によりプレビュー画面[1]から作成されたポストビュー画面[2]となる。プレビュー画面[1]とポストビュー画面[2]とは、ポストビュー画面[2]が子画面乃至サムネイル化されていることを除けば、見かけ上は同じ画面である。
【００３４】
ステップＳ７では、制御部１０２は、作成したポストビュー画面を表示部１０５の表示画面１１０の一部の子画面１２０に表示しながら、表示部１０５の表示画面１１０にプレビュー画面を表示する。図３（ｃ）は、シャッターボタン押下後に表示部１０５の表示画面１１０に表示されるプレビュー画面を示す。このシャッターボタン押下後のプレビュー画面を説明の便宜上、プレビュー画面[3]と呼ぶ。図３（ｄ）に示すように、制御部１０２は、作成したポストビュー画面[2]を表示部１０５の表示画面１１０の子画面１２０に表示しながら、表示部１０５の表示画面１１０にプレビュー画面を表示する。すなわち、シャッターボタン押下後には、表示部１０５の表示画面１１０に次のプレビュー画面[3]が表示されつつ、表示画面１１０の右下の子画面１２０にはプレビュー画面[1]から作成されたポストビュー画面[2]が同時に表示される。これにより、ユーザは、表示画面１１０上でプレビュー画面[3]とポストビュー画面[2]とを同時に視認することができる。ユーザは、プレビュー画面[3]を見ることでシャッターチャンスを逃がすことなく、かつプレビュー画面[3]上の子画面１２０のポストビュー画面[2]を確認することで、撮影後の画像に対して保存／削除を容易に選択することができる。したがって、確認操作及び次撮影のタイムラグは発生しない。
【００３５】
ステップＳ８では、制御部１０２は、シャッターボタン，保存キー，破棄キーなどのキー入力があるか否かを判別する。キー入力がない場合は、ステップＳ７に戻り、図３（ｄ）に示すようにポストビュー画面[2]とプレビュー画面[3]と合成して表示する撮影後確認表示を継続する。
【００３６】
キー入力がある場合は、ステップＳ９で制御部１０２は、キー入力を判定する。
【００３７】
シャッターボタンが押下された場合は、ステップＳ１０で制御部１０２は、撮像部１０１から撮像データを取り込んで上記ステップＳ６に戻る。シャッターボタン押下により、上記ステップＳ６乃至Ｓ１０のループが繰り返され、更新される。これにより、以前のプレビュー画面からポストビュー画面が作成され、作成されたポストビュー画面は現在のプレビュー画面と同時に子画面１２０に表示される。
【００３８】
上記ステップＳ９で保存キーが押下された場合は、ステップＳ５で制御部１０２は、シャッターボタン押下時に撮像部１０１から取り込んだ撮影画像を、保存部１０３に撮影画像として保存してステップＳ１のプレビューに戻る。
【００３９】
上記ステップＳ９で破棄キーが押下された場合は、ステップＳ１１で制御部１０２は、シャッターボタン押下時に撮像部１０１から取り込んだ撮影画像を破棄してステップＳ１のプレビューに戻る。保存確認表示画面であるポストビュー画面は、破棄選択の場合は表示の必要がなくなるので子画面１２０表示を行わない。図３（ｃ）に示すプレビュー画面[3]の表示のみに戻すことで、プレビューの視認性を向上させることができる。
【００４０】
図３（ｄ）に示すように、ポストビュー画面[2]は、プレビュー画面[3]の視認性をなるべく妨げない位置、例えば子画面１２０として表示画面１１０の右下に表示される。
【００４１】
また、図３（ｅ）矢印に示すように、ポストビュー画面[2]をプレビュー画面[3]と直行させるように、ポストビュー画面[2]を、ゆっくりと回転して表示してもよい。例えば、ポストビュー画面[2]の縦中心軸を線対称として回転させる。この回転により、ポストビュー画面[2]の背後に隠されたポストビュー画面[2]の部分が周期的に表示されるので、プレビューの視認性を向上させることができる。図３（ｅ）と図３（ｄ）の切替は、ポストビュー画面[2]上に置かれたポインタのクリックにより行ってもよい。また、上記ポストビュー画面[2]の回転に代えて、ポストビュー画面[2]の子画面１２０幅又は高さを周期的に変えてもよく同様の効果を得ることができる。なお、ポストビュー画面[2]の表示位置の詳細については、実施の形態２により後述する。
【００４２】
以上のように、本実施の形態によれば、カメラ付き携帯電話機１００の制御部１０２は、プレビュー画面を作成するプレビュー画面作成処理、シャッターボタンの押下により撮影画像を保存する撮影画像保存処理、ポストビュー画面を作成するポストビュー画面作成処理、前記プレビュー画面とポストビュー画面を表示部１０５の表示画面に表示する表示制御処理を実行する。制御部１０２は、図３（ｂ）に示すように、プレビュー画面[1]を表示画面１１０に表示している。シャッターボタンが押下されると、図３（ｄ）に示すようにプレビュー画面[1]の撮影画像から作成されたポストビュー画面[2]を、次のプレビュー画面[3]と同時に表示画面１１０の子画面１２０にスーパーインポーズ表示する。シャッターボタン押下後には、表示画面１１０に次のプレビュー画面[3]が表示されつつ、子画面１２０にはポストビュー画面[2]が同時に表示されるので、ユーザは、表示画面１１０上でプレビュー画面[3]とポストビュー画面[2]とを同時に視認することができる。
【００４３】
本実施の形態では、プレビュー画面[3]とポストビュー画面[2]が同時に表示されるので、ユーザはプレビュー画面[3]でシャッターチャンスを待ちつつ、ポストビュー画面[2]を確認して、ポストビュー画面の保存／破棄などを決定できる。従来例のような撮影のたびに保存するかどうかの確認画面は不要になるため、その間のシャッターチャンスを逃すことがなくなる。また、ポストビュー画面を確認することで、撮影画像の保存／破棄も可能であり、従来例でプレビューを表示しない場合のようにすべての画像を保存するメモリ負担を軽減することができる。
【００４４】
（実施の形態２）
実施の形態２は、子画面の位置をプレビュー画面の状態により自動変更する例である。
【００４５】
図４は、本発明の実施の形態２に係るカメラ付き携帯電話機１００のカメラの撮影処理を示すフローチャートであり、図２と同一ステップには同一符号を付して重複箇所の説明を省略する。
【００４６】
図５は、プレビュー画面上の子画面にポストビュー画面を表示する表示例を示す図である。
【００４７】
ハード的構成は図１と同様である。本実施の形態では、制御部１０２（図１）は、さらに、顔検出機能と、プレビューの状態からポストビュー位置を計算する機能とを有する。
【００４８】
カメラが起動すると、ステップＳ１でプレビュー状態となる。プレビュー状態は、撮像部１０１により画像が取り込まれ、そのスルー画像が表示部１０５に表示される。図５（ａ）（ｂ）は、表示部１０５の表示画面１１０に表示されるプレビュー画面[1]を示す。
【００４９】
ステップＳ２でシャッターボタンが押下されと、ステップＳ３で制御部１０２は、撮像部１０１から撮像データを取り込む。
【００５０】
ステップＳ４では、制御部１０２は、カメラ付き携帯電話機１００のカメラに自動保存が設定されているか否かを判別する。カメラに自動保存が設定されている場合は、<撮影操作>を抜けて<撮影後表示動作>のステップＳ５に移行する。カメラに自動保存が設定されていない場合は、<撮影操作>を抜けて<撮影後表示動作>のステップＳ６に移行する。
【００５１】
ステップＳ５では、制御部１０２は、シャッターボタン押下時に撮像部１０１から取り込んだ撮像データを、保存部１０３に撮影画像として保存してステップＳ１のプレビューに戻る。
【００５２】
ステップＳ６では、制御部１０２は、シャッターボタン押下時の撮影画像からポストビュー画面を作成する。図５（ｄ）の子画面１２０は、シャッターボタン押下以前はプレビュー画面[1]であり、シャッターボタン押下によりプレビュー画面[1]から作成されたポストビュー画面[2]となる。プレビュー画面[1]とポストビュー画面[2]とは、ポストビュー画面[2]が子画面乃至サムネイル化されていることを除けば、見かけ上は同じ画面である。
【００５３】
ステップＳ２１では、制御部１０２は、プレビューの状態からポストビュー画面の位置を計算する。図５（ｄ）破線に示すように、ポストビュー画面[2]は、プレビュー画面[3]の視認性をなるべく妨げない位置、例えば子画面１２０として表示画面１１０の右上に表示される。しかし、表示画面１１０の右下の子画面１２０の位置が必ずしも最適位置とは限らない場合がある。例えば、図５（ｄ）に示すように、プレビュー画面[3]の主要被写体（ここでは人物）を覆わない、表示画面１１０の右下に子画面１２０を表示することがより好ましい。本実施の形態では、プレビューの状態からポストビュー画面の位置を計算し、計算した位置にポストビュー画面[2]の子画面１２０を表示する。具体的には、（１）顔検出機能を備え、プレビュー画面の中の顔位置を検出し、この顔検出位置からなるべく離れた位置を計算する。（２）また、追尾処理機能を備え、プレビュー画面の特定被写体（ロックオンされた動き物体、画像認識された人物など）を自動追尾し、この特定被写体からなるべく離れた位置を計算するなどがある。本実施の形態では、制御部１０２は、顔検出機能を備え、プレビュー画面の中の顔位置を検出し、この顔検出位置からなるべく離れた位置を計算する。図５（ｂ）は、プレビュー画面[1]の人物の顔検出枠を示している。
【００５４】
ステップＳ７では、制御部１０２は、作成したポストビュー画面を、ポストビュー位置計算で計算された子画面１２０に表示しながら、表示部１０５の表示画面１１０にプレビュー画面を表示する。この場合、図５（ｄ）に示すように、ポストビュー画面[2]の子画面１２０は、表示画面１１０の右上から右下に移動する。
【００５５】
図５（ｃ）は、シャッターボタン押下後に表示部１０５の表示画面１１０に表示されるプレビュー画面[3]を示す。また、シャッターボタン押下後には、表示部１０５の表示画面１１０に次のプレビュー画面[3]が表示されつつ、表示画面１１０の右下の子画面１２０にはプレビュー画面[1]から作成されたポストビュー画面[2]が同時に表示される。これにより、ユーザは、表示画面１１０上でプレビュー画面[3]とポストビュー画面[2]とを同時に視認することができる。また、ポストビュー画面[2]の子画面１２０は、プレビュー画面[3]の人物をなるべく隠さない位置で表示される。
【００５６】
ステップＳ８では、制御部１０２は、シャッターボタン，保存キー，破棄キーなどのキー入力があるか否かを判別する。キー入力がない場合は、ステップＳ７に戻り、図５（ｄ）に示すようにポストビュー画面[2]とプレビュー画面[3]と合成して表示する撮影後確認表示を継続する。
【００５７】
キー入力がある場合は、ステップＳ９で制御部１０２は、キー入力を判定する。
【００５８】
シャッターボタンが押下された場合は、ステップＳ１０で制御部１０２は、撮像部１０１から撮像データを取り込んで上記ステップＳ６に戻る。シャッターボタン押下により、上記ステップＳ６乃至Ｓ１０のループが繰り返され、更新される。これにより、以前のプレビュー画面からポストビュー画面が作成され、作成されたポストビュー画面は現在のプレビュー画面と同時に子画面１２０に表示される。
【００５９】
上記ステップＳ９で保存キーが押下された場合は、ステップＳ５で制御部１０２は、シャッターボタン押下時に撮像部１０１から取り込んだ撮影画像を、保存部１０３に撮影画像として保存してステップＳ１のプレビューに戻る。
【００６０】
上記ステップＳ９で破棄キーが押下された場合は、ステップＳ１１で制御部１０２は、シャッターボタン押下時に撮像部１０１から取り込んだ撮影画像を破棄してステップＳ１のプレビューに戻る。保存確認表示画面であるポストビュー画面は、破棄選択の場合は表示の必要がなくなるので子画面１２０表示を行わない。図５（ｃ）に示すプレビュー画面[3]の表示のみに戻すことで、プレビューの視認性を向上させることができる。
【００６１】
図５（ｄ）に示すように、ポストビュー画面[2]は、プレビュー画面[3]の視認性をなるべく妨げないように、ポストビュー位置計算で計算された位置に移動して表示される。
【００６２】
このように、本実施の形態によれば、ポストビュー画面[2]の子画面１２０の位置を、プレビュー画面の状態（顔検出、動体追尾）により自動変更するので、プレビュー画面の主被写体（人物の顔など）を隠すことが少なくなり、プレビュー画面の視認性を向上させることができ、撮影の妨げにならない。
【００６３】
（実施の形態３）
実施の形態３は、プレビューと子画面を切替える可能にする例である。
【００６４】
図６は、本発明の実施の形態３に係るカメラ付き携帯電話機１００のカメラの撮影処理を示すフローチャートであり、図４と同一ステップには同一符号を付して重複箇所の説明を省略する。
【００６５】
図７は、プレビュー画面と子画面を切替える表示例を示す図である。
【００６６】
本実施の形態では、制御部１０２（図１）は、さらに、プレビューの状態からポストビュー位置を計算する機能と、プレビュー／ポストビュー切替え機能を有する。また、入力部１０４（図１）は、さらにプレビュー／ポストビューを切替える切替えキーを有する。切替えキーは、カメラモード時において、カメラ付き携帯電話機１００の機能キーのうち、適当なキーを割り当てる。また、切替えキーは、トグルである。
【００６７】
ステップＳ６では、制御部１０２は、シャッターボタン押下時の撮影画像からポストビュー画面を作成する。
【００６８】
ステップＳ２１では、制御部１０２は、プレビューの状態からポストビュー画面の位置を計算する。
【００６９】
ステップＳ３１では、制御部１０２は、作成したポストビュー画面とプレビュー画面とを表示部１０５の表示画面１１０に同時表示する。図７（ｂ）に示すように、制御部１０２は、作成したポストビュー画面[2]を表示部１０５の表示画面１１０の子画面１２０に表示しながら、表示部１０５の表示画面１１０にプレビュー画面[3]を同時表示する。これにより、ユーザは、表示画面１１０上でプレビュー画面[3]とポストビュー画面[2]とを同時に視認することができる。また、ポストビュー画面[2]の子画面１２０は、プレビュー画面[3]の人物をなるべく隠さない位置で表示される。
【００７０】
ステップＳ８では、制御部１０２は、シャッターボタン，保存キー，破棄キーのキー入力に加え、プレビュー／ポストビューを切替える切替えキーの入力があるか否かを判別する。キー入力がない場合は、ステップＳ３１に戻り、図７（ｄ）に示すようにポストビュー画面[2]とプレビュー画面[3]と合成して表示する撮影後確認表示を継続する。
【００７１】
キー入力がある場合は、ステップＳ３２で制御部１０２は、キー入力を判定する。
【００７２】
シャッターボタンが押下された場合は、ステップＳ１０で制御部１０２は、撮像部１０１から撮像データを取り込んで上記ステップＳ６に戻る。シャッターボタン押下により、上記ステップＳ６乃至Ｓ３２のループが繰り返され、更新される。これにより、以前のプレビュー画面からポストビュー画面が作成され、作成されたポストビュー画面は現在のプレビュー画面と同時に子画面１２０に表示される。
【００７３】
上記ステップＳ３２で保存キーが押下された場合は、ステップＳ５で制御部１０２は、シャッターボタン押下時に撮像部１０１から取り込んだ撮影画像を、保存部１０３に撮影画像として保存してステップＳ１のプレビューに戻る。
【００７４】
上記ステップＳ３２で破棄キーが押下された場合は、ステップＳ１１で制御部１０２は、シャッターボタン押下時に撮像部１０１から取り込んだ撮影画像を破棄してステップＳ１のプレビューに戻る。保存確認表示画面であるポストビュー画面は、破棄選択の場合は表示の必要がなくなるので子画面１２０表示を行わない。図７（ｃ）に示すプレビュー画面[3]の表示のみに戻すことで、プレビューの視認性を向上させることができる。
【００７５】
上記ステップＳ３２で切替えキーが押下された場合は、ステップＳ３３でプレビュー／ポストビューの主従切り替えを行って上記ステップＳ３１に進む。図７（ｂ）（ｄ）に示すように、表示画面１１０上のプレビュー画面[3]と子画面１２０のポストビュー画面[2]との親子切り替えが行われる。この親子切り替えは、切替えキーが押下される度に、図７（ｂ）の表示から図７（ｄ）の表示に、また図７（ｄ）の表示から図７（ｂ）の表示にトグルで切替わる。
【００７６】
このように、本実施の形態によれば、切替えスイッチ押下により、表示画面１１０と子画面１２０に表示される画面の親子切り替えを行うので、ユーザは確認したい画面を、より大きい表示画面１１０に切替えて視認することができる。
【００７７】
（実施の形態４）
実施の形態４は、子画面表示状態でシャッターキーを押すと自動保存する例である。
【００７８】
図８は、本発明の実施の形態４に係るカメラ付き携帯電話機１００のカメラの撮影処理を示すフローチャートであり、図２と同一ステップには同一符号を付して重複箇所の説明を省略する。
【００７９】
図９は、子画面表示状態でシャッターキーを押す（撮影する）と自動保存する表示例を示す図である。図３と同一構成部分には同一符号を付している。
【００８０】
図８のフローにおいて、ステップＳ８でキー入力がある場合は、ステップＳ９で制御部１０２は、キー入力を判定する。
【００８１】
シャッターボタンが押下された場合は、ステップＳ１０で制御部１０２は、撮像部１０１から撮像データを取り込む。
【００８２】
ステップＳ４１では、制御部１０２は、撮影画像（子画面表示されたポストビュー画面）を記録部１０６に記録して上記ステップＳ６に戻る。なお、ステップＳ１０とステップＳ４１の処理の順番は逆であってもよい。
【００８３】
子画面表示状態において、シャッターボタン押下により、上記ステップＳ６乃至Ｓ４１のループが繰り返される。これにより、撮影画像（子画面表示されたポストビュー画面）は記録部１０６に記録される一方、この時点のプレビュー画面からポストビュー画面が作成され、作成されたポストビュー画面は現在のプレビュー画面と同時に子画面１２０に表示される。図９を参照して具体的に説明する。
【００８４】
図９（ｂ）に示すように、制御部１０２は、作成したポストビュー画面[2]を表示部１０５の表示画面１１０の子画面１２０に表示しながら、表示部１０５の表示画面１１０にプレビュー画面[3]を同時表示している。
【００８５】
図９（ｂ）の子画面１２０の表示状態でシャッターキーを押す（撮影する）と、図９（ｄ）に示すように、ポストビュー画面[2]は記録部１０６に記録される。同時に、表示部１０５の表示画面１１０に次のプレビュー画面[5]が表示されつつ、表示画面１１０の右上の子画面１２０には、図９（ｂ）のプレビュー画面[3]から作成されたポストビュー画面[4]が同時に表示される。なお、ポストビュー画面[4]の子画面１２０は、図９（ｃ）のプレビューにおいて、プレビュー画面[5]の視認性をなるべく妨げない位置（表示画面１１０の右上）である。
【００８６】
このように、本実施の形態によれば、子画面表示状態でシャッターキーを押すと自動保存するので、保存操作の操作性を向上させることができる。
【００８７】
なお、シャッターキー押下後のポストビュー画面の保存／破棄の選択を、事前にユーザに選択させることもできる。
【００８８】
（実施の形態５）
実施の形態５は、プレビュー時に顔検出すると自動保存する例である。
【００８９】
図１０は、本発明の実施の形態５に係るカメラ付き携帯電話機１００のカメラの撮影処理を示すフローチャートであり、図８と同一ステップには同一符号を付して重複箇所の説明を省略する。
【００９０】
図１１は、プレビュー時に顔検出すると自動保存する表示例を示す図である。図３と同一構成部分には同一符号を付している。
【００９１】
本実施の形態では、制御部１０２（図１）は、さらに、顔検出機能を有する。
【００９２】
図１０のフローにおいて、ステップＳ８でキー入力がない場合は、ステップＳ５１に進む。
【００９３】
ステップＳ５１では、制御部１０２は、プレビュー画面の中の顔位置を検出し、顔検出したか否かを判別する。図１１（ｄ）は、プレビュー画面[3]の人物の顔検出枠を示している。顔検出がなければステップＳ７に戻る。
【００９４】
顔検出をした場合は、ステップＳ４１に進む。これにより、撮影画像（子画面表示されたポストビュー画面）は記録部１０６に記録される。図１１を参照して具体的に説明する。
【００９５】
図１１（ｂ）に示すように、制御部１０２は、作成したポストビュー画面[2]を表示部１０５の表示画面１１０の子画面１２０に表示しながら、表示部１０５の表示画面１１０にプレビュー画面[3]を同時表示している。
【００９６】
図１１（ｂ）の子画面１２０の表示状態で顔枠検出すると、図１１（ｄ）に示すように、ポストビュー画面[2]は記録部１０６に記録される。同時に、表示部１０５の表示画面１１０からポストビュー画面[2]の子画面１２０表示がなくなり、図１１（ｄ）のプレビュー画面[3]の表示のみとなる。プレビュー画面[3]のみが表示されることで、プレビューの視認性が向上する。
【００９７】
すなわち、子画面１２０のポストビュー画面[2]は、撮影画像の確認操作の利便性向上を図るためである。ポストビュー画面[2]が表示されている状態で、プレビュー画面[3]の顔検出が行われた場合は、ポストビュー画面[2]は記録する価値があると判断して自動保存する。この自動保存に伴い、ポストビュー画面[2]の表示の必要性がなくなるため、プレビュー画面[3]のみの表示に切り替える。
【００９８】
このように、本実施の形態によれば、プレビュー時に顔検出すると自動保存するので、保存操作の操作性を向上させることができる。
【００９９】
（実施の形態６）
実施の形態６は、プレビュー時にＡＦ合焦により自動保存する例である。
【０１００】
図１２は、本発明の実施の形態６に係るカメラ付き携帯電話機１００のカメラの撮影処理を示すフローチャートであり、図８と同一ステップには同一符号を付して重複箇所の説明を省略する。
【０１０１】
図１３は、プレビュー時にＡＦ合焦により自動保存する表示例を示す図である。図３と同一構成部分には同一符号を付している。
【０１０２】
本実施の形態では、制御部１０２（図１）は、さらに、ＡＦ機能を有する。
【０１０３】
図１２のフローにおいて、ステップＳ８でキー入力がない場合は、ステップＳ６１に進む。
【０１０４】
ステップＳ６１では、制御部１０２は、ＡＦ合焦を判定する。ＡＦ合焦していない場合は、ステップＳ７に戻る。
【０１０５】
ＡＦ合焦した場合は、ステップＳ４１に進む。これにより、撮影画像（子画面表示されたポストビュー画面）は記録部１０６に記録される。図１３を参照して具体的に説明する。
【０１０６】
図１３（ｂ）に示すように、制御部１０２は、作成したポストビュー画面[2]を表示部１０５の表示画面１１０の子画面１２０に表示しながら、表示部１０５の表示画面１１０にプレビュー画面[3]を同時表示している。図１１（ｂ）のプレビュー画面[3]は、ピントが合っていない状態を表している。
【０１０７】
図１３（ｂ）のプレビュー画面[3]で、例えばシャッターボタン半押しにより、フォーカスロックを行い、ＡＦ合焦を判定すると、図１３（ｄ）に示すように、ポストビュー画面[2]は記録部１０６に記録される。同時に、表示部１０５の表示画面１１０からポストビュー画面[2]の子画面１２０表示がなくなり、図１３（ｄ）のプレビュー画面[3]の表示のみとなる。プレビュー画面[3]のみが表示されることで、プレビューの視認性が向上する。
【０１０８】
すなわち、子画面１２０のポストビュー画面[2]は、撮影画像の確認操作の利便性向上を図るためである。ポストビュー画面[2]が表示されている状態で、プレビュー画面[3]のＡＦ合焦が行われた場合は、ポストビュー画面[2]は記録する価値があると判断して自動保存する。この自動保存に伴い、ポストビュー画面[2]の表示の必要性がなくなるため、プレビュー画面[3]のみの表示に切り替える。
【０１０９】
このように、本実施の形態によれば、プレビュー時にＡＦ合焦判定すると自動保存するので、保存操作の操作性を向上させることができる。
【０１１０】
なお、実施の形態５，６では、顔検出又はＡＦ合焦したとき、ポストビュー画面を「自動保存」する例について説明したが、同様の方法により「自動破棄」を行ってもよい。この場合、「自動保存」と「自動破棄」とを選べるようにすることが好ましい。
【０１１１】
また、「顔検出」及び「ＡＦ合焦」は、プレビューの状態（すなわちプレビュー画面内にポストビュー画面を表示している状態）の、対応例である。
【０１１２】
以上の説明は本発明の好適な実施の形態の例証であり、本発明の範囲はこれに限定されることはない。
【０１１３】
上記各実施の形態では、撮像装置として、カメラ付き携帯電話機／ＰＨＳのカメラに適用した例について説明しているが、カメラ付き携帯電話機に限らずＰＤＡ等の携帯情報端末、パーソナルコンピュータ又はその融合された装置、さらにはＭＰ３プレーヤ、ＨＤＤプレーヤ、携帯型ゲーム機などの携帯機器に適用可能である。
【０１１４】
また、上記各実施の形態では、撮像装置及び撮像方法という名称を用いたが、これは説明の便宜上であり、装置は、撮影装置、デジタルカメラ等、また方法は画像表示方法であってもよい。
【０１１５】
さらに、上記撮像装置を構成する各部、例えば撮像素子、画像処理部、その数及び接続方法などはどのようなものでもよい。
【０１１６】
以上説明した撮像装置の撮像方法は、この撮像装置の撮像方法を機能させるためのプログラムでも実現される。このプログラムはコンピュータで読み取り可能な記録媒体に格納されている。
【産業上の利用可能性】
【０１１７】
本発明に係る撮像装置及び撮像方法は、撮影された撮影画像に基づいてプレビュー画面を表示するデジタルカメラ、デジタルビデオカメラといった種々の撮像装置及び撮像方法として有用である。また、カメラ付き携帯電話機などのカメラに有用である。
【符号の説明】
【０１１８】
１００  カメラ付き携帯電話機
１０１  撮像部
１０２  制御部
１０３  保存部
１０４  入力部
１０５  表示部
１０６  記録部
【図１】
2010288030.tif 000003
【図２】
2010288030.tif 000004
【図３】
2010288030.tif 000005
【図４】
2010288030.tif 000006
【図５】
2010288030.tif 000007
【図６】
2010288030.tif 000008
【図７】
2010288030.tif 000009
【図８】
2010288030.tif 000010
【図９】
2010288030.tif 000011
【図１０】
2010288030.tif 000012
【図１１】
2010288030.tif 000013
【図１２】
2010288030.tif 000014
【図１３】
2010288030.tif 000015